(57)【要約】      （修正有）【課題】不揮発性メモリ等の書き込み状態を外観だけで認識できるＩＣパッケージおよび通信機器を提供する。【解決手段】ＩＣパッケージ１０に、データの書き換えが可能な記憶部１１と、記憶部１１の状態を検出する検出部１２と、検出部１２の検出結果に応じた報知を行う表示部１４とを設ける。【選択図】図１
2009181368.tif 000002
【特許請求の範囲】
【請求項１】
データの書き換えが可能な記憶部と、
前記記憶部の状態を検出する検出部と、
前記検出部の検出結果に応じた報知を行う報知部と、
を有することを特徴とするＩＣパッケージ。
【請求項２】
所定の条件下において、前記検出部が記憶部の状態を検出し、前記報知部が検出結果を報知可能な電力を生成する電力生成部を有する  
ことを特徴とする請求項１に記載のＩＣパッケージ。
【請求項３】
前記電力生成部は、
外部から光を受けた場合に、前記光のエネルギーを電力に変換する
ことを特徴とする請求項２記載のＩＣパッケージ。
【請求項４】
前記検出部は、
前記記憶部に書き込まれたデータの特定のアドレスを読み出して、新たに書き込みされたか否かを検出する
ことを特徴とする請求項１から３のいずれか一に記載のＩＣパッケージ。
【請求項５】
前記検出部は、
前記記憶部に新たな書き込みがあった場合は、書き込まれたデータのバージョン情報を検出する
ことを特徴とする請求項４に記載のＩＣパッケージ。
【請求項６】
前記報知部は、
前記検出部の検出結果を光で報知する
ことを特徴とする請求項１から５のいずれか一に記載のＩＣパッケージ。
【請求項７】
前記報知部は、
複数の色を発光可能である
ことを特徴とする請求項６記載のＩＣパッケージ。
【請求項８】
前記報知部は、
前記記憶部に書き込みされたデータのバージョン情報を報知する
ことを特徴とする請求項１から７のいずれか一に記載のＩＣパッケージ。
【請求項９】
前記報知部は、
外部制御により前記検出部の検出結果以外の情報を報知できる
ことを特徴とする請求項１から８のいずれか一に記載のＩＣパッケージ。
【請求項１０】
ＩＣパッケージを有する通信機器であって、
前記ＩＣパッケージは、
データの書き換えが可能な記憶部と、
前記記憶部の状態を検出する検出部と、
前記検出部の検出結果に応じた報知を行う報知部と、
を有することを特徴とする通信機器。
【発明の詳細な説明】
【技術分野】
【０００１】
本発明は、不揮発性メモリ等の書き込み状態を外観だけで認識できるＩＣパッケージおよび通信機器に関するものである。
【背景技術】
【０００２】
メモリ等のＩＣパッケージを基板等に実装せずに、書き込み済みのメモリか否か等を、メモリの外観だけで判別したい場合がある。たとえばＩＣパッケージの製造工程において、メモリにデータを書き込むとＩＣパッケージの外部表面上にマーキングして、データが書き込まれていないＩＣパッケージと区別していた。
【０００３】
しかし、人手によるマーキング作業は非常に効率が悪いため、メモリにデータの書き込みが実施された際に、書き込み状態を色素非可逆物質の色素変化で認識出来るようにしたＩＣパッケージが開示されている（たとえば特許文献１を参照）。
【特許文献１】特開平７−１６９２８１号公報
【発明の開示】
【発明が解決しようとする課題】
【０００４】
特許文献１が開示する方法では、外部から電力をＩＣパッケージに供給しなければ、書き込み状態を反映させることができないばかりか、ＰＲＯＭ（Programmable ROM）のような１回の書き込みが可能なメモリにしか対応できない欠点がある。
上述の他、書き込まれたデータの内容の判別、たとえばバージョン情報を知ることができない欠点がある。
【０００５】
本発明は、不揮発性メモリ等の書き込み状態を外観だけで認識できるＩＣパッケージおよび通信機器を提供することにある。
【課題を解決するための手段】
【０００６】
本発明の第１の観点のＩＣパッケージは、データの書き換えが可能な記憶部と、前記記憶部の状態を検出する検出部と、前記検出部の検出結果に応じた報知を行う報知部と、を有する。
【０００７】
好適には、所定の条件下において、前記検出部が記憶部の状態を検出し、前記報知部が検出結果を報知可能な電力を生成する電力生成部を有する。
【０００８】
好適には、前記電力生成部は、外部から光を受けた場合に、前記光のエネルギーを電力に変換する。
【０００９】
好適には、前記検出部は、前記記憶部に書き込まれたデータの特定のアドレスを読み出して、新たに書き込みされたか否かを検出する。
【００１０】
好適には、前記検出部は、前記記憶部に新たな書き込みがあった場合は、書き込まれたデータのバージョン情報を検出する。
【００１１】
好適には、前記報知部は、前記検出部の検出結果を光で報知する。
【００１２】
好適には、前記報知部は、複数の色を発光可能である。
【００１３】
好適には、前記報知部は、前記記憶部に書き込みされたデータのバージョン情報を報知する。
【００１４】
好適には、前記報知部は、外部制御により前記検出部の検出結果以外の情報を報知できる。
【００１５】
本発明の第２の観点の通信機器は、ＩＣパッケージを有する通信機器であって、前記ＩＣパッケージは、データの書き換えが可能な記憶部と、前記記憶部の状態を検出する検出部と、前記検出部の検出結果に応じた報知を行う報知部と、を有する。
【発明の効果】
【００１６】
本発明によれば、不揮発性メモリ等の書き込み状態を外観だけで認識できるＩＣパッケージおよび通信機器を提供できる。
【発明を実施するための最良の形態】
【００１７】
以下、本発明の実施形態を図面に関連付けて説明する。
【００１８】
（第１実施形態）
本実施形態に係るＩＣパッケージの構成例について、図１を中心に図２〜図５を適宜参照して説明する。
図１は、本実施形態に係るＩＣパッケージの構成例を示すブロック図である。図２は、本実施形態に係るＩＣパッケージの外観の一例を示す平面図である。
【００１９】
図１に図示するように、ＩＣパッケージ１０は、記憶部１１、本発明に係る検出部としての書き込み判別部１２、検出制御部１３、本発明に係る報知部としての表示部１４、電力生成部１５を有する。
【００２０】
記憶部１１は、たとえば書き換え可能な不揮発性のフラッシュメモリであって、種々のデータを記憶する。記憶部１１の構成は、ＮＡＮＤ型、ＮＯＲ型等、特に限定されない。
【００２１】
書き込み判別部１２は、その内部に記憶回路１２１を有し、外部から電力が供給されると、比較処理を開始する。なお、「外部」とは、たとえばＩＣパッケージ１０（記憶部１１）に直接データを書き込んだり検査を行う書き込み装置や、ＩＣパッケージ１０が装着された回路基板等を指す。
詳細には、書き込み判別部１２は、記憶部１１に格納されているデータの特定アドレスにアクセスして比較用データを検出し、あらかじめ記憶回路１２１に保存してある比較データと比較し、一致するか否かを判断する。
書き込み判別部１２は、比較結果が一致した場合、データの書き換えが行われなかったものと判断し、比較結果が一致しなかった場合、データの書き換えが行われたものと判断する。
【００２２】
検出制御部１３は、書き込み判別部１２を監視し、書き込み判別部１２の判別結果を検出する。その後、検出制御部１３は、書き込み判別部１２が検出した新たな比較データと、記憶回路１２１が保持している比較データとが一致していれば、長パルスの制御信号を一定期間、表示部１４のスイッチＳＷ１に出力し、一致していなければ、短パルスの制御信号を連続的に表示部１４のスイッチＳＷ１に出力する。
【００２３】
表示部１４は、検出制御部１３の制御信号に応じて、書き込み判別部１２の判別結果を発光素子を用いて報知する。ここで、表示部１４の詳細を図３に関連付けて説明する。図３は、本実施形態に係る報知部の構成例を示す等価回路図である。
【００２４】
図３に図示するように、表示部１４は、抵抗Ｒ１および発光素子としての発光ダイオード（ＬＥＤ）１（単に「ＬＥＤ１」という）、スイッチＳＷ１で構成されている。
ＬＥＤ１に印加される電圧が順方向バイアスとなるように、後述する電力生成部１５の太陽電池１５１が端子Ｃ１、Ｃ２間に接続され、ＬＥＤ１と抵抗Ｒ１とがノードＮＤ１およびＮＤ２にて並列に接続されている。
なお、スイッチＳＷ１は、たとえば電界効果トランジスタ等のスイッチング素子であって、図３の例ではノードＮＤ１とＬＥＤ１との間に接続されて、図示しない検出制御部１３からの制御信号によって、オンまたはオフに切り替えられる。
本実施形態では、ＬＥＤ１の発光色は何色でもよく、特に限定されない。
端子Ｃ１，Ｃ２は、図２に示す所定のピンにもそれぞれ接続され（たとえば端子Ｃ１は電源供給ＶＣＣピン、端子Ｃ２はグラウンドＧＮＤピン）、ＩＣパッケージ１０が所定の書き込み装置、回路基板等に設けられた場合、表示部１４はそれらから電力が供給される。
【００２５】
表示部１４のスイッチＳＷ１は、検出制御部１３から長パルスの制御信号を一定期間受けると、一定期間オンの状態を保持し、ＬＥＤ１が一定期間発光する。この状態をデータの書き換えが行われていない状態とする。
一方、表示部１４のスイッチＳＷ１は、検出制御部１３から短パルスの制御信号を連続的に受けると、断続的にオン、オフを繰り返し、ＬＥＤ１が点滅する。この様態をデータの書き換えが行われた状態とする。
なお、ＬＥＤ１の発光期間や点滅周期はもとより、どのような情報に対してどのように発光させるか等についても好適に設定可能である。本実施形態では、報知手段に発光素子を採用したが、報知手段は、その他の表示デバイス、音で報知するブザー等を採用してもよく、ユーザ（使用者）が情報として認識可能であれば限定されない。
【００２６】
電力生成部１５は、外部から電力が供給されない場合に、ＩＣパッケージ１０を構成する記憶部１１、書き込み判別部１２、検出制御部１３、および表示部１４の本実施形態に係る動作に必要な電力を生成し供給する。
【００２７】
この電力生成部１５について、図３〜図５を参照しながら説明する。図４は、本実施形態に係る受光素子の一例を示す外観図である。図５は、本実施形態に係る受光素子の特性の一例を示す図である。
【００２８】
図４（Ａ）に図示するように、電力生成部１５は、たとえば受光素子としてのアモルファスシリコン太陽電池（単に「太陽電池」という）１５１で構成されている。図４（Ａ）に示すように、一つのセルＣＥＬは、ガラス基板１５１３上にアモルファスシリコン層１５１４が形成され、アモルファスシリコン層１５１４を挟み込むように透明電極１５１１および金属電極１５１２が形成されている。
詳細は後述するが、単体のＣＥＬの起電力は小さいため、所望する電流、電圧が得られるように各々のセルＣＥＬの透明電極１５１１と金属電極１５１２とを接続することで、セルＣＥＬを直列接続している。
直列接続されたセルＣＥＬの一端の透明電極１５１１および金属電極１５１２は、図３に図示する表示部１４の端子Ｃ１，Ｃ２とＬＥＤ１が順バイアスとなるように接続され、記憶部１１、書き込み判別部１２、検出制御部１３にもそれぞれ接続されている。
太陽電池には主に２種類のタイプがあり、図４（Ａ）のようにセルＣＥＬ間の接続が端部に集中しているタイプＡと、図４（Ｂ）のようにセルＣＥＬの境界面全面で接続しているタイプＢとがある。本実施形態では、図４（Ａ）に示すタイプＡを採用しているが、無論タイプＢを採用してもよい。
【００２９】
太陽電池１５１は、セルＣＥＬに光が入射すると、光電変換によって起電力を発生する。どの程度の電流、電圧が発生するかは太陽電池１５１の特性によって異なり、使用する環境の温度、照度等にも依存する。図５（Ａ）は、本実施形態で採用した太陽電池１５１の電流電圧特性を、図５（Ｂ）は照度依存性を、図５（Ｃ）は温度依存性をそれぞれ示している。単位セルＣＥＬ当たりの代表的な開放電圧は０．６３Ｖ程度、短絡電流は１７．０μＡ／ｃｍ２程度、最大出力は７μＷ／ｃｍ２程度、光源は２００ＬＵＸ程度である。
【００３０】
図３に示す電力生成部１５と表示部１４との接続を例に挙げると、本実施形態では、ＩＣパッケージ１０を室内で使用するものと想定しているため、セルＣＥＬに蛍光灯の照度より強い光を照射する。この環境下では、太陽電池１５１は、単位セルＣＥＬ当たり（１ｃｍ２当たり）０．４〜０．５Ｖ程度の電圧を、１ｃｍ２当たり７ｍＡ程度の電流を生成する（ただし常温での値）。
一方、ＬＥＤ１の動作電圧は２Ｖ程度、動作電流は２０ｍＡ程度であるので、１２〜１５個のセルＣＥＬを直列に接続すれば、太陽電池１５１がＬＥＤ１の動作に必要な電流、電圧を生成できる。
ところで、太陽電池１５１が蛍光灯の光に反応して起電力を発生し、不用意にＩＣパッケージ１０が動作することがある。
そこで、本実施形態では、蛍光灯の光でＩＣパッケージ１０が動作しないように、電流を分散する抵抗Ｒ１の電流経路を設けている。これにより、太陽電池１５１が強力な光を受光した場合にのみＬＥＤ１の動作電流が得られ、ＬＥＤ１が発光する。
【００３１】
電力生成部１５は、ＩＣパッケージ１０の構成部を駆動する電流電圧が得ることができれば、直列するセルＣＥＬの数は限定されず、他の機構で電力を生成するものであってもよい。表示部１４にキャパシタ等を工夫して接続することで、電力供給が終了した後も一定期間動作するようにしてもよい。
【００３２】
図２に図示するように、ＩＣパッケージ１０は、上述した図１の構成要素が包括されＩＣパッケージ化されている。ＩＣパッケージ１０の表面には、受光部１６が設けられ、太陽電池１５１が光を受光できるようになっている。ＩＣパッケージ１０の表面に、ＬＥＤ１を配置するための報知エリア１７が設けられている。
なお、外観、ＬＥＤ１，太陽電池１５１等の配置は例示にすぎず、ピンの本数、ピンアサイン等は好適に設定されている。
【００３３】
以下に、ＩＣパッケージ１０の動作についてフローチャートを参照し説明する。図６は、本実施形態に係るＩＣパッケージの動作を説明するためのフローチャートである。
【００３４】
本実施形態では、ＩＣパッケージ１０を書き込み装置等に装着し、記憶部１１に対して行うデータの書き換え処理（ステップＳＴ１〜ＳＴ５）と、データの書き換え処理終了後の処理（ステップＳＴ６〜ＳＴ１４）とを有する。
【００３５】
（データの書き換え処理）
説明の便宜上、工場出荷時の初期データに含まれる比較用データ（比較用データＤ１とする）が書き込み判別部１２の記憶回路１２１に記憶されているものとし、ＩＣパッケージ１０に書き込まれたデータが工場出荷時の初期データか否かを判別する動作について説明する。
【００３６】
はじめに、ＩＣパッケージ１０を書き込み装置等に装着する。これにより、ＩＣパッケージ１０は、書き込み装置から電力が供給される。そして、書き込み装置は、記憶部１１に対してデータの書き込み、あるいは消去（書き換え）を開始するものとする（ステップＳＴ１）。
【００３７】
書き込み判別部１２は、記憶部１１へのデータの書き換え処理が開始すると同時に、書き込み判別部１２が比較処理を開始する（ステップＳＴ２）。詳細には、書き込み判別部１２は、記憶部１１に格納されているデータの特定アドレスにアクセスし、比較用データを検出する。
【００３８】
そして、書き込み判別部１２は、記憶回路１２１に保存している比較用データ（比較用データＤ１）と、新たに検出した比較用データとを比較する（ステップＳＴ３）。
書き込み判別部１２は、比較結果が一致した場合（ＹＥＳ）、データの書き換えが行われなかったものと判断し、比較結果が一致しなかった場合（ＮＯ）、データの書き換えが行われたものと判断する。
ステップＳＴ３の処理は、データの書き換え処理が実行される度に、繰り返し行われる。
【００３９】
その後、たとえば書き込み装置からＩＣパッケージ１０が取り外され、電力供給が停止し、書き込み装置によるデータの書き換え処理が終了する（ステップＳＴ４，またはＳＴ５）。
以下の説明では、記憶部１１に初期データ（比較用データＤ１）が記憶されている場合の処理Ａと、記憶部１１には初期データと異なるデータが記憶されている場合の処理Ｂとに分けて説明する。
はじめに、処理Ａ（ステップＳＴ４以降、ＳＴ６→ＳＴ７→ＳＴ８→ＳＴ９→ＳＴ１０→ＳＴ１１の順に説明する）について説明し、つづいて、処理Ｂ（ステップＳＴ５以降，ＳＴ１２→ＳＴ１３→ＳＴ１４→ＳＴ９→ＳＴ１０→ＳＴ１１の順に説明する）について説明する。
【００４０】
（処理Ａ）
以下、処理Ａについて説明する。
受光部１６に光を照射すると、電力生成部１５は、ＩＣパッケージ１０を構成する記憶部１１、書き込み判別部１２、検出制御部１３、および表示部１４に必要な電力を生成し供給する（ステップＳＴ６）。
【００４１】
その結果、ＩＣパッケージ１０に電力が供給され、書き込み判別部１２が比較処理を開始する。詳細には、書き込み判別部１２は、記憶部１１に格納されているデータの特定アドレスにアクセスし、新たたな比較用データを検出する（ステップＳＴ７）。
【００４２】
書き込み判別部１２は、記憶回路１２１が保持している比較用データ（比較用データＤ１）と、新たに検出した比較用データとを比較する（ステップＳＴ８）。
書き込み判別部１２は、比較結果が一致した場合（ＹＥＳ）、データの書き換えが行われなかったものと判断し、比較結果が一致しなかった場合（ＮＯ）、データの書き換えが行われたものと判断する。
ステップＳＴ８において、検出制御部１３は、書き込み判別部１２を監視しており、書き込み判別部１２の判別結果を検出する。詳細には、検出制御部１３は、新たな比較データと比較用データＤ１とが一致していれば（ＹＥＳ）、長パルスの制御信号を一定期間、表示部１４のスイッチＳＷ１に出力し、一致していなければ（ＮＯ）、短パルスの制御信号を連続的に表示部１４のスイッチＳＷ１に出力する。
【００４３】
表示部１４のスイッチＳＷ１は、検出制御部１３から長パルスの制御信号を一定期間受けると、一定期間オンの状態を保持し、ＬＥＤ１が一定期間発光する（ステップＳＴ９）。これにより、ユーザは、データの書き換えが行われていないことを認識できる。
他方、表示部１４のスイッチＳＷ１は、検出制御部１３から短パルスの制御信号を連続的に受けると、断続的にオン、オフを繰り返し、ＬＥＤ１が点滅する（ステップＳＴ１０）。これにより、ユーザは、データの書き換えが行われたことを認識できる。
【００４４】
ユーザが報知内容を確認した後、受光部１６への光の照射を中止することで、電力生成部１５の電力供給が停止し、処理Ａが終了する（ステップＳＴ１１）。
【００４５】
（処理Ｂ）
以下、処理Ｂについて説明する。
処理Ｂは、ステップ５以降において、記憶部１１に初期データと異なるデータが記憶されている点で処理Ａと異なるが、処理Ａと同様の処理を実行すればよいため、詳細な説明は省略する。
【００４６】
本実施形態では、不揮発性のメモリに対応し、ＩＣパッケージを基板等に実装しなくても、どのようなデータが書き込まれているかを外観から容易に知ることができる。したがって、マーキング作業が不要となり、データ書き込み後のデータの整合性に関する検査等を省略できるため、工程数を大幅に削減できる。
【００４７】
（第２実施形態）
以下、第２実施形態について、第１実施形態と異なる点を中心に説明する。
本実施形態は、複数のＬＥＤを表示部１４に採用し、より多くの情報を報知出来るようにしたものである。具体例を図７を参照しながら説明する。図７は、本実施形態に係る報知部の構成例を示す等価回路図である。
【００４８】
図７に示すように、表示部１４ａは、抵抗Ｒ１、ＬＥＤ１〜３、スイッチＳＷ１〜３で構成されている。
直列接続されたスイッチＳＷ２とＬＥＤ２とが、抵抗Ｒ１，およびＬＥＤ１と共に並列に接続されている。同様に、直列接続されたスイッチＳＷ３とＬＥＤ３とが、抵抗Ｒ１，およびＬＥＤ１、２と共に並列に接続されている。
スイッチＳＷ１〜３は、図示しない検出制御部１３からの制御信号によって、オンまたはオフに切り替えられる。
本実施形態では、たとえばＬＥＤ１の発光色を緑色、ＬＥＤ２の発光色を黄色、ＬＥＤ３の発光色を橙色に設定しているが、色の組み合わせ、ＬＥＤの数は好適に設定できる。
【００４９】
本実施形態では、書き込み判別部１２が、初期データか否かの判別に加え、ユーザが意図したデータが書き込まれたか否かの判別、およびその他のデータが書き込まれたか否かの判別を行う。
【００５０】
たとえば、図６に示す各ステップＳＴ３、ＳＴ８、ＳＴ１４にて、書き込み判別部１２が初期データの判別、ユーザが意図したデータが書き込まれたか否かの判別、およびその他のデータが書き込まれたか否かの判別を行う。
そして、検出制御部１３が、ステップＳＴ９およびステップＳＴ１０にて、書き込み判別部１２の判別結果を検出し、検出結果が初期データであれば、長パルスの制御信号を一定期間、スイッチＳＷ１に出力するようにする。同様に、検出制御部１３が、検出結果がユーザが意図したデータであれば、長パルスの制御信号を一定期間、スイッチＳＷ２に出力し、検出結果が他のデータであれば、長パルスの制御信号を一定期間、スイッチＳＷ３に出力するようにする。
これにより、検出結果が初期データであれば、緑色のＬＥＤ１が点灯し、検出結果がユーザが意図したデータであれば、黄色のＬＥＤ２が点灯し、検出結果が他のデータであれば、橙のＬＥＤ３が点灯する。
【００５１】
さらに、本実施形態の応用例として、書き込み判別部１２がデータのバージョン情報を検出できるようにする。
たとえば、データの所定アドレスには、ソフトウェアのバージョン情報が記されており、書き込み判別部１２が、このバージョン情報を検出するようにする。
検出結果が初期バージョンであれば、緑色のＬＥＤ１が点灯し、検出結果が改訂バージョンであれば、黄色のＬＥＤ２が点灯し、最新バージョンであれば、黄色のＬＥＤ３が点灯するようにする。
これにより、ユーザは、どのバージョンのデータがＩＣパッケージ１０に書き込まれているかを簡単に知ることができる。
【００５２】
ＬＥＤの数や、ＬＥＤの発光方法を工夫することで、さらに多くの情報を報知できる。たとえば、上述のバージョン情報に加え、書き込み状態の検出結果が初期データであれば、緑色のＬＥＤ１が点滅し、検出結果がユーザが意図したデータであれば、黄色のＬＥＤ２が点滅し、検出結果が他のデータであれば、橙のＬＥＤ３が点滅するようにすることで、さらに多くの情報をユーザに知らせることができる。
【００５３】
本実施形態によって、ユーザは、単にデータの書き換えだけでなく、どのようなデータがＩＣパッケージ１０に書き込まれているか等、複数の情報を視覚的に容易に知ることが出来る。したがって、データ書き込み後のデータの整合性に関する検査等や、工程数を大幅に短縮できる。
【００５４】
（第３実施形態）
本実施形態は、第１実施形態に係るＩＣパッケージを記憶装置として、携帯電話機に実装した例である。
ＩＣパッケージ１０を実装した携帯電話機について、図８および図９を参照しながら説明する。なお、本実施形態では、第２実施形態に係るＩＣパッケージを採用してもよい。
【００５５】
図８は、本実施形態に係るＩＣパッケージを実装した通信機器の主要部を示すブロック図である。図９は、本実施形態に係る通信機器の外観図である。
【００５６】
通信機器としての携帯電話機２０は、アンテナ２１、通信部２２、制御部（ＣＰＵ）２３、音声入出力部２４、スピーカ（ＳＰ）２４ａ、マイクロフォン（ＭＩＣ）２４ｂ、表示部２５、操作部２６、およびＩＣパッケージ１０を有する。
【００５７】
携帯電話機２０は、図示しない基地局を介してネットワークに接続され、基地局を介してネットワークに接続されているサーバ装置の制御にしたがって、音声通話、電子メールの作成とその送受信、ＷＥＢサイトやコンテンツデータ（たとえば動画像、静止画像）の閲覧等を行う機能を有する。
【００５８】
ＩＣパッケージ１０は、携帯電話機２０の記憶装置として、図示しない回路基板上に設けられ、制御部２３に接続されている。ＩＣパッケージ１０の記憶部１１には、携帯電話機２０の処理に必要なプログラム等のデータをはじめ、種々のデータを読み書きできる。
また、ＩＣパッケージ１０のＬＥＤ１が図９に示すように、携帯電話機２０の筐体に好適に設置され、制御部２３の制御信号により、表示部１４のＳＷ１がオンまたはオフに制御される。
【００５９】
アンテナ２１は、所定の周波数帯域における電磁波を図示しない基地局に向けて送信、あるいは基地局から受信する。
【００６０】
通信部２２は、通話等の音声データ、電子メール等の文字情報、動画像データ等のデータ通信を接続されている基地局との間で無線通信を行う。
【００６１】
制御部２３は、携帯電話機２０の全般的な動作を統括的に制御する。
また、制御部２３は、制御信号をＩＣパッケージ１０の表示部１４のスイッチＳＷ１に出力することで、第１実施形態で説明したデータの書き込み判別の処理とは独立に、ＬＥＤ１を点灯させることができる。この場合、ＩＣパッケージ１０の動作に必要な電力は携帯電話機２０の図示しないバッテリから得られるようにすればよい。
無論、第１実施形態で説明したデータの書き込み判別の処理を実行することができる。
【００６２】
音声入出力部２４は、図９に示すスピーカ２４ａに出力する音声信号や図９に示すマイクロフォン２４ｂから入力された音声信号の処理を行う。
【００６３】
表示部２５は、図９に図示するように、たとえば液晶表示パネルや有機ＥＬ（Electro-Luminescence）パネル等の表示デバイスであって、制御部２３から供給された映像信号に応じた種々の情報を表示する。
【００６４】
操作部２６は、図９に図示するように、たとえば電源キー、通話キー、数字キー、文字キー、方向キー、決定キー、発信キーなど各種機能が割り当てられた複数のキーを有する。操作部２６は、これらのキーがユーザによって操作された場合、その操作内容に対応する信号を発生し、これをユーザの指示として制御部２３に出力する。
【００６５】
本実施形態のように、ＩＣパッケージ１０を記憶装置として携帯電話機２０に実装することができる。本実施形態のように、ＩＣパッケージ１０のＬＥＤ１を携帯電話機２０の筐体に設置したので、たとえば制御部２３が電子メールの受信時や通話状態等に対応してＬＥＤ１を発光、点滅させることができる。ＩＣパッケージ１０の実装先は、携帯電話機や通信機器に限定されず、あらゆる機器に実装可能である。
【００６６】
本実施形態は、本発明が適用可能な範囲で好適に変更可能である。
【図面の簡単な説明】
【００６７】
【図１】実施形態に係るＩＣパッケージの構成例を示すブロック図である。
【図２】実施形態に係るＩＣパッケージの外観の一例を示す平面図である。
【図３】実施形態に係る報知部の構成例を示す等価回路図である。
【図４】実施形態に係る受光素子の一例を示す外観図である。
【図５】実施形態に係る受光素子の特性の一例を示す図である。
【図６】実施形態に係るＩＣパッケージの動作を説明するためのフローチャートである。
【図７】実施形態に係る報知部の構成例を示す等価回路図である。
【図８】実施形態に係るＩＣパッケージを実装した通信機器の主要部を示すブロック図である。
【図９】実施形態に係る通信機器の外観図である。
【符号の説明】
【００６８】
１０…ＩＣパッケージ、１１…記憶部、１２…書き込み判別部、１２１…記憶回路、１３…検出制御部、１４…報知部、１５…電力生成部、１５１…太陽電池、１６…受光部、１７…報知エリア、２１…アンテナ、２２…通信部、２３…制御部（ＣＰＵ）、２４…音声入出力部、２４ａ…スピーカ（ＳＰ）、２４ｂ…マイクロフォン（ＭＩＣ）、２５…表示部、２６…操作部、Ｃ１，Ｃ２…端子、ＬＥＤ１〜ＬＥＤ３…発光ダイオード、ＳＷ１〜ＳＷ３…スイッチ
【図１】
2009181368.tif 000003
【図２】
2009181368.tif 000004
【図３】
2009181368.tif 000005
【図６】
2009181368.tif 000006
【図７】
2009181368.tif 000007
【図８】
2009181368.tif 000008
【図９】
2009181368.tif 000009
【図４】
2009181368.tif 000010
【図５】
2009181368.tif 000011